(57)【要約】【課題】  上レールの簡単な施工調整により天井面の不陸に起因する室内高さバラツキを容易に吸収可能な施工の容易な吊戸の吊設構造を提供すること。【解決手段】  扉体２を上レール４に摺動自在に吊支させる吊戸の吊設構造である。扉体２の上端部に回転自在に軸支されたローラ３を摺動させる上レール４の上面に弾性部材５を介在させる。上レール４を下側から天井面７に向け螺着させて成る。前記上レール４を断面視略コ字状とし、その連結片の両側に前記弾性部材５より低位置となるよう当該弾性部材５を側面視において隠蔽させる突条を形成させてもよい。【選択図】図１
2005240276.tif 000002
【特許請求の範囲】
【請求項１】
扉体を上レールに摺動自在に吊支させる吊戸の吊設構造であって、扉体の上端部に回転自在に軸支されたローラを摺動させる上レールの上面に弾性部材を介在させ、同上レールを下側から天井面に向け螺着させて成る吊戸の吊設構造。
【請求項２】
前記上レールを断面視略コ字状とし、その連結片の両側に前記弾性部材より低位置となるよう当該弾性部材を側面視において隠蔽させる突条を形成させて成ることを特徴とする請求項１記載の吊戸の吊設構造。
【請求項３】
前記連結片の中間部に垂直螺子孔を穿設するとともに前記弾性部材を同螺子孔の両側に並設させ、木ねじ等の固定具をその螺子孔に貫通させて前記上レールを螺着させて成ることを特徴とする請求項２記載の吊戸の吊設構造。
【発明の詳細な説明】
【技術分野】
【０００１】
本発明は、折り畳み扉や引き戸などの扉体を上レールに吊り下げた状態で摺動自在に吊設させる吊戸の吊設構造に関する。
【背景技術】
【０００２】
従来から、この種の吊設装置として、不陸と呼ばれている、天井面の仕上げのバラツキ等によって扉体を吊設させる室内高さのバラツキを、上レールに係止した吊下げ用ローラの高さ位置を調整することにて円滑に摺動できるようにさせるものがある。また、例えば図５に示す、特開平６−１４６７２６公報に開示されたものの如く、扉体１００の上端に取付けられる取付座１０１に垂直螺子孔を設け、この螺子孔に螺杆体１０２の下部を螺合させ、該螺杆体１０２の中間部に回動操作部材１０３を固着すると共に、両側面にローラ１０４、１０４を回転自在に軸支している吊支部材１０５の中央貫通孔に前記螺杆体１０２の上端部を挿通して該吊支部材１０５を前記回動操作部材１０３上で螺杆体回りに回転自在とし、さらに、この吊支部材１０５の上記中央貫通孔の上端周囲に係止凹部１０６を形成し、この係止凹部１０６に螺杆体１０２の上端に固着している係止突起片１０７を係脱自在に係止させる吊戸の吊設構造が提案されている。
【０００３】
この場合、吊戸を施工するときに、扉体１００上端の螺杆体１０２を僅かに上動させて係止突起片１０７を係止凹部１０６から離脱させた状態で螺杆体１０２を回動操作することにより、取付座１０１からの螺杆体１０２の突出長、即ち、吊支部材１０５に対する扉体１００の吊支位置を簡単且つ正確に調整することができる構造を簡単な構成で実現できる。
【０００４】
しかしながら、この場合には、図６に示すように、長尺状の上レール１０８の多箇所において取付座１０１からの螺杆体１０２の突出長を調節するための螺杆体回動の操作をおこなう必要があり、不陸状態への対応の自由度が高い反面、吊戸を吊設させるための施工調整に多くの時間を要することが考えられた。また、わずかな不陸の状態であっても同様の螺杆体の回動操作による扉体吊支位置の調節作業が必要であり、施工調整に多くの時間を要することが想定され、施工に手間がかかるということが懸念される。
【特許文献１】特開平６−１４６７２６号公報
【発明の開示】
【発明が解決しようとする課題】
【０００５】
本願発明は、上記背景技術に鑑みてなされたものであり、その課題は、上レールの簡単な施工調整により天井面の不陸に起因する室内高さバラツキを容易に吸収可能な施工の容易な吊戸の吊設構造を提供することである。
【課題を解決するための手段】
【０００６】
上記課題を解決するために、本願発明の吊戸の吊設構造は、扉体を上レールに摺動自在に吊支させる吊戸の吊設構造であって、扉体の上端部に回転自在に軸支されたローラを摺動させる上レールの上面に弾性部材を介在させ、同上レールを下側から天井面に向け螺着させて成るものとしている。
【０００７】
また、前記上レールを断面視略コ字状とし、その連結片の両側に前記弾性部材より低位置となるよう当該弾性部材を側面視において隠蔽させる突条を形成させて成るのが好ましい。
【０００８】
さらに、前記連結片の中間部に垂直螺子孔を穿設するとともに前記弾性部材を同螺子孔の両側に並設させ、木ねじ等の固定具をその螺子孔に貫通させて前記上レールを螺着させて成ることが好ましい。
【発明の効果】
【０００９】
本願発明の吊戸の吊設構造においては、回転自在に軸支された扉体上端部のローラを摺動させる上レールが、その上面に配設された弾性部材を介して天井面に向けて下側から螺着されるので、天井面の不陸状態が弾性部材によって吸収され、以って、上レールの簡単な施工調整により、天井面の不陸に起因する室内高さバラツキを容易に吸収することができる。
【００１０】
また、天井面の様々な不陸状態が弾性部材によって吸収される状態を、側面から見たときに、弾性部材の部分が、断面視略コ字状の上レールの連結片両側の突条にて略隠蔽されるので、上レールと天井との接合面の美観上好ましい。
【００１１】
さらに、断面視略コ字状の上レールが、その連結片上面の螺子孔両側に並設された弾性部材それぞれが圧縮された状態にて、連結片中間部に設けられた垂直螺子孔に木ねじ等の固定具が貫通されて天井面に向け下側から螺着されるので、天井面の僅かな不陸状態の変化に対しても弾性部材が適切に対応して圧縮されることとなり施工性がさらに向上する。
【発明を実施するための最良の形態】
【００１２】
図１〜３は、本願の請求項１乃至請求項３に対応した一実施形態である吊戸の吊設構造を示している。この実施形態の吊戸の吊設構造は、背景技術の項にて説明した折り畳み扉や引き戸などの扉体を上レールに吊り下げた状態で摺動自在に吊設させる構造である。そして、図１の部分図に示す如く扉体２を上レール４に摺動自在に吊支させる吊戸１の吊設構造であって、扉体２の上端部に回転自在に軸支されたローラ３を摺動させる上レー４
の上面に弾性部材５１、５１を介在させ、同上レール４を下側から天井面７に向け螺着させている。
【００１３】
この場合、前記上レール４を断面視略コ字状とし、その連結片４４の両側に前記弾性部材５１、５１より低位置となるよう当該弾性部材５１を側面視において隠蔽させる突条４６、４６を形成させてもいる。また、前記連結片４４の中間部に垂直螺子孔４７を穿設するとともに前記弾性部材５１、５１を同螺子孔４７の両側に並設させ、木ねじ６等の固定具をその螺子孔４７に貫通させて前記上レール４を螺着させてもいる。
【００１４】
詳しくは、吊戸１は、図２に示すような複数の扉体２を天井面７に沿って摺動させ、部屋間の間仕切りをおこなう折り畳み扉で、木質材料製の扉体２と、上レール４とを備えている。なお、同図には示していないが、扉体２の下端部には、部屋の開口に設置した状態で、床面８に埋設されたガイドレールに沿って扉体２を摺動ガイドをおこなう下ローラやガイド片などが設けられ、扉体２を移動させる際の操作性を向上させている。
【００１５】
ローラ３は、この場合、扉体２上面に突設された軸３２に回転自在に軸支されたポリアミド樹脂などの熱可塑性の合成樹脂製横車３１で、図１に示すように、その車の外周が、後述する上レール４の一方の側壁４１下端に形成された下向きの傾斜片４２に当たって回点するよう軸３２先端に抜け止め係止されており、扉体２の上端部に、進行方向の前後に２つ配置されている。したがって、当該上レール４を側面視薄型状に形成させることが出来て、設置状態の美観において優れるものとなる。
【００１６】
上レール４は、この場合、アルミニウム材料による断面視略コ字状の、押し出し成形長尺材で、側壁４１、側壁４３の何れか一方に上記ローラ３を摺動させる摺動部となる傾斜片４２が設けられる。コ字状における連結片４４には、図１に示すような中間部凹所が長手方向に連通形成され、垂直螺子孔４７が同中間部凹所において長手方向に等間隔に設けられている。したがって、同図に示すように、上レール４を天井面７へ螺着させた状態にあって、木ねじ６の頭部が突出してもローラ３の摺動を妨げないようにしてある。この場合、突条４６、４６が側壁４１、４３の上部に長手方向に連設されて、後述する弾性部材５１を中間部まで隠蔽させる構造としているが、これにより、天井面７の不陸の状態が部屋全体で大きく変動した場合においても、弾性部材５１の変形状態の変化を目立ちにくくさせることとなり、上レール４と天井との接合面の美観上好ましい。
【００１７】
弾性部材５１は、この場合、上レール４の螺子孔４７の両側に並設されるもので、図３に示すような断面形状をもった、エラストマー材料等の弾性合成樹脂材料製の長尺状押し出し成形部材である。この弾性部材５１は、上記上レール４に形成された溝４５に係合する板状の基端部５２の上部に、断面円環状で弾性変形可能な天井当設部５３が一体に連設され、上レール４の長さと略同一となるよう成形後に切断される。この弾性部材５１は、その下端部が上レール４の螺子孔４７の両側に連通形成された溝４５、４５に係止されて容易に上レール４に装着されるようになっているため、天井材や天井に帖着される壁紙などの色合いと合わすことも容易におこなうことが可能となる。
木ねじ等の固定具をその螺子孔に貫通させて前記上レールを螺着させて成ることが好ましい。
【００１８】
上記吊戸の吊設構造にあっては、回転自在に軸支された扉体２上端部のローラ３を摺動させる上レール４が、その上面に配設された弾性部材５を介して天井面７に向けて下側から螺着される。このとき、天井面７に様々な不陸状態があっても、弾性部材５によって吸収される状態を側面から見たときにおいても、弾性部材５の部分が断面視略コ字状の上レール４の連結片４４両側の突条４６、４６にて略隠蔽されることとなる。さらに、断面視略コ字状の上レール４が、その連結片４４上面の螺子孔４７両側に並設された弾性部材５１、５１それぞれが圧縮された状態にて、連結片４７中間部に設けられた垂直螺子孔４７に木ねじ等の固定具６が貫通されて天井面７に向け下側から螺着されるので、天井面７の僅かな不陸状態の変化に対しても弾性部材５１、５１が適切に対応して圧縮されることとなるのである。
【００１９】
したがって、以上説明した吊戸の吊設構造によると、回転自在に軸支された扉体２上端部のローラ３を摺動させる上レール４が、その上面に配設された弾性部材５を介して天井面７に向けて下側から螺着されるので、天井面７の不陸状態が弾性部材５によって吸収され、以って、上レール４の簡単な施工調整により、天井面７の不陸に起因する室内高さバラツキを容易に吸収することができる。
【００２０】
また、天井面７の様々な不陸状態が弾性部材によって吸収される状態を、側面から見たときに、弾性部材５の部分が、断面視略コ字状の上レール４の連結片４４両側の突条４６、４６にて略隠蔽されるので、上レール４と天井との接合面の美観上好ましい。
【００２１】
さらに、断面視略コ字状の上レール４が、その連結片４４上面の螺子孔４７両側に並設された弾性部材５１、５１それぞれが圧縮された状態にて、連結片４４中間部に設けられた垂直螺子孔４７に木ねじ等の固定具が貫通されて天井面７に向け下側から螺着されるので、天井面７の僅かな不陸状態の変化に対しても弾性部材が適切に対応して圧縮されることとなり施工性がさらに向上する。
【００２２】
なお、本発明は、以上説明した、連結片４４の中間部に垂直螺子孔４７を穿設させて弾性部材５１、５１を同螺子孔４７の両側に並設させたもの以外に、図３に示すように、略平板状長尺材による弾性部材５４として中間部に固定具貫通孔を設けたもの、あるいは、扉体２上面に軸３２を突設させ回転自在に横車３１を軸支させる構成以外のもの等、各種構成によるものを含むことは言うまでも無い。
【図面の簡単な説明】
【００２３】
【図１】本願発明の一実施形態である吊戸の吊設構造を示した概略部分構成図。
【図２】同吊戸の吊設構造による施工状態を示す説明図。
【図３】同吊戸の吊設構造による弾性部材を示す断面図。
【図４】本願発明の他実施形態による吊戸の吊設構造を示した概略部分構成図。
【図５】従来例である吊戸の吊設構造を示した概略部分構成図。
【図６】同吊戸の吊設構造による施工状態を示す説明図。
【符号の説明】
【００２４】
１      吊戸
２      扉体
３      ローラ
４      上レール
４２      傾斜片
４４      連結片
４６      突条
４７      螺子孔
５      弾性部材
６      固定具
７      天井面
【図１】
2005240276.tif 000003
【図２】
2005240276.tif 000004
【図３】
2005240276.tif 000005
【図４】
2005240276.tif 000006
【図５】
2005240276.tif 000007
【図６】
2005240276.tif 000008